(57)【要約】【課題】被塗布体への糊付けを、ステープラーのような操作感覚をもって容易に行うことができるとともに、液状糊の補給を簡単に行うことができ、かつ上下２枚重ねの被塗布体同士の貼り合せをも、精度よく行うことができるようにした液状糊用塗布具を提供することを目的とする。【解決手段】塗布具本体１を、前端に塗布台７を備えた基台３と、この基台３の塗布台７に相対する位置に下向きの押え部１５を備えた操作板４とを、互いの後端部３ａ、４ａにおいて上下方向に開閉回動自在に枢着して構成するとともに、前記基台３内に、液状糊供給用のカートリッジ２を前後方向に向けて着脱自在に装填可能にし、かつこのカートリッジ２の前端に、前記塗布台７に臨む上向きの塗布面部１３を突出させて設け、基台３および操作板４の握持操作により、前記塗布台７と押え部１５との間に、被塗布体Ｐを挟持可能にする。【選択図】  図３
2008137288.tif 000002
【特許請求の範囲】
【請求項１】
塗布具本体を、前端に塗布台を備えた基台と、この基台の塗布台に相対する位置に下向きの押え部を備えた操作板とを、互いの後端部において上下方向に開閉回動自在に枢着して構成するとともに、前記基台内に、液状糊供給用のカートリッジを前後方向に向けて着脱自在に装填可能にし、かつこのカートリッジの前端に、前記塗布台に臨む上向きの塗布面部を突出させて設け、基台および操作板の握持操作により、前記塗布台と押え部との間に、被塗布体を挟持可能にしたことを特徴とする液状糊用塗布具。
【請求項２】
前記押え部におけるカートリッジの塗布面部に相対する下面に、凹面部を形成し、この凹面部をもって、前記カートリッジにおける塗布面部を上方から被冠しうるようにしたことを特徴とする請求項１記載の液状糊用塗布具。
【請求項３】
前記押え部における凹面部の内周とカートリッジにおける塗布面部の外周とで囲繞される内部空間を、気密状態に維持させたことを特徴とする請求項２記載の液状糊用塗布具
【請求項４】
前記カートリッジの塗布面部と、押え部の凹面部との対向面間に糊付着防止用の間隙を形成したことを特徴とする請求項２または３記載の液状糊用塗布具。
【請求項５】
前記カートリッジを、前端上面に開口部を設けた前後方向に長手の扁平な角筒状の収容ケースと、この収容ケース内の前記開口部に配置され、かつその上端面を塗布面部とした海綿状の塗布体とにより形成するとともに、この塗布体の後方における収容ケース内に、液状糊を充填可能にしたことを特徴とする請求項１〜４のいずれかに記載の液状糊用塗布具。
【請求項６】
前記塗布台または押え部のいずれか一方の後方に離間する位置に、被塗布体における側端縁が当接されて後方への移動を阻止するストッパ片を設けたことを特徴とする請求項１〜５のいずれかに記載の液状糊用塗布具。
【発明の詳細な説明】
【技術分野】
【０００１】
本発明は、ステープラーと同様の操作感覚をもって、糊付けを行うことができるようにした液状糊用塗布具に関する。
【背景技術】
【０００２】
従来の液状糊用塗布具においては、塗布具本体を、弾性体からなる操作板と基台とを側面視Ｕ字状に連続して形成し、操作板の前端上面に、液状糊が収容された収容タンクを装着するとともに、操作板の前端下面に臨ませた収容タンクの口部に、キャップにより保護された下向きの塗布部を装着し、この塗布部を、基台の前端上面に設けた受け台に相対するように位置させて、それらの塗布部と受け台との間に挟持された紙面上に、液状糊を、紙面の側端縁に沿って塗布しうるようにしたものは公知である（例えば、特許文献１）。
【０００３】
しかし、このような液状糊用塗布具は、組立時、塗布具本体への収容タンクの組付け、収容タンクにおける下向き口部への塗布部やキャップの装着、および収容タンク内への液状糊の補給など、作業が面倒であるばかりでなく、部品点数が多いため、コスト高になる。
また、紙面上に液状糊を塗布するにあたっては、塗布部が操作板の前端下面に下向きに装着されており、紙面の上方からしか液状糊を塗布することができない。
そのため、紙面の下面に液状糊を塗布するには、紙面の下面が上側を向くように折り返して塗布する必要があり、特に、上下に２枚重ねに揃えられた紙面同士の貼り合せでは、上下の紙面にずれが生じ易く、糊塗布後に、上下の紙面同士を揃え直して貼り合せねばならず、そのまま精度よく貼り合せることが困難である。
【０００４】
前記した特許文献１記載の塗布具における問題点を解決するために、上下１対の操作板間に、固形糊を保持させるとともに、この固形糊の前端部を、２枚重ねに揃えられた紙面の側端縁間に臨ませて、紙面の上面および下面を上下の操作板の前端部で挟持することにより、紙面同士を貼り合せるようにしたものが公知である（例えば、特許文献２）。
【０００５】
しかし、前記した特許文献２記載の塗布具では、上下の紙面間に、固形糊の前端部を差し込むことが面倒であるばかりでなく、塗布操作を円滑に行うことができないという問題があった。
【特許文献１】特開平７−３２３６９９号公報
【特許文献２】特許第３６７９７９９号公報
【発明の開示】
【発明が解決しようとする課題】
【０００６】
本発明は、従来の技術の有する上記の問題点に鑑み、被塗布体への糊付けを、ステープラーのような操作感覚をもって容易に、かつ円滑に行うことができるとともに、液状糊の補給を簡単に行うことができ、かつ２枚重ねの被塗布体同士の貼り合せをも、精度よく行うことができるようにした液状糊用塗布具を提供することを目的とする。
【課題を解決するための手段】
【０００７】
本発明によると、上記課題は次のようにして解決される。
（１）  塗布具本体を、前端に塗布台を備えた基台と、この基台の塗布台に相対する位置に設けた下向きの押え部を備えた操作板とを、互いの後端部において上下方向に開閉回動自在に枢着して構成するとともに、前記基台内に、液状糊供給用のカートリッジを前後方向に向けて着脱自在に装填可能にし、かつこのカートリッジの前端に、前記塗布台に臨む上向きの塗布面部を突出させて設け、基台および操作板の握持操作により、前記塗布台と押え部との間に、被塗布体を挟持可能にする。
【０００８】
（２）  上記（１）項において、前記押え部におけるカートリッジの塗布面部に相対する下面に凹面部を形成し、この凹面部をもって、前記カートリッジにおける塗布面部を上方から被冠しうるようにする。
【０００９】
（３）  上記（２）項において、前記押え部における凹面部の内周とカートリッジにおける塗布面部の外周とで囲繞される内部空間を、気密状態に維持させる。
【００１０】
（４）  上記（２）項または（３）項において、前記カートリッジの塗布面部と、押え部の凹面部との対向面間に糊付着防止用の間隙を形成する。
【００１１】
（５）  上記（１）〜（４）項のいずれかにおいて、前記カートリッジを、前端上面に開口部を設けた前後方向に長手の扁平な角筒状の収容ケースと、この収容ケース内の前記開口部に配置され、かつその上端面を塗布面部とした海綿状の塗布体とにより形成するとともに、この塗布体の後方における収容ケース内に、液状糊を充填可能にする。
【００１２】
（６）  上記（１）〜（５）項のいずかにおいて、前記塗布台または押え部のいずれか一方の後方に離間する位置に、被塗布体における側端縁が当接されて、後方への移動を阻止するストッパ片を設ける。
【発明の効果】
【００１３】
本発明によると、次のような効果が奏せられる。
請求項１記載の発明によると、基台および操作板の握持操作により、塗布台と押え部との間に、被塗布体を挟持可能にしてあるため、被塗布体への糊付けを、ステープラーのような操作感覚をもって容易に、かつ円滑に行うことができる。
また、カートリッジの取換えにより、液状糊の補給を簡単に行うことができる。
さらに、上下２枚重ねの被塗布体同士の貼り合せにおいて、基台の塗布台を、上下の被塗布体間に差し込んで塗布することにより、それらの貼り合せを精度よく行うことができる
【００１４】
請求項２記載の発明によると、押え部におけるカートリッジの塗布面部に相対する下面に凹面部を形成し、この凹面部をもって、カートリッジにおける塗布面部を上方から被冠しうるようにしてあるため、不使用時、押え部をキャップとして兼用できるため、塗布面部上の液状糊の乾燥を有効に防止することができる。
【００１５】
請求項３記載の発明によると、押え部における凹面部の内周とカートリッジにおける塗布面部の外周とで囲繞される内部空間を、気密状態に維持させてあるため、使用時に、塗布台と押え部との間に挟持される被塗布体の上面における空気を有効に圧縮することができ、この圧縮された空気により、被塗布体を塗布面部に押圧して、被塗布体に液状糊を良好に塗布することができる。
【００１６】
請求項４記載の発明によると、カートリッジの塗布面部と、押え部の凹面部との対向面間に糊付着防止用の間隙を形成してあるため、使用時や不使用時に、押え部側に液状糊が付着するのを防止することができ、次の使用時の基台および操作板の開閉が支障なく行うことができ、また、被塗布体の上面に液状糊が付着する虞はない。
【００１７】
請求項５記載の発明によると、カートリッジを、塗布具本体における基台に、その前端開放部から容易に装着できるとともに、カートリッジにおける収容ケース内に充填された液状糊を、海綿状の塗布体に毛細管現象により容易に浸透させることができる。
【００１８】
請求項６載の発明によると、ストッパ片を設けてあるため、塗布時に、被塗布体における側端縁から離れた塗布位置の位置決めを円滑に行うことができる。
特に、上下２枚重ねの被塗布体同士の貼り合せを、より精度よく行うことができる。
【発明を実施するための最良の形態】
【００１９】
以下、本発明の実施形態を、添付図面を参照して説明する。
図１は、本発明の一実施形態における液状糊用塗布具の不使用状態を示す斜視図、図２は、図１におけるＩＩ−ＩＩ線拡大縦断面図、図３は、使用時において液状糊用塗布具を開いた状態を示す斜視図、図４は、カートリッジの拡大縦断面図、図５は、塗布具本体とカートリッジとの分解斜視図である。
【００２０】
本発明の液状糊塗布具は、図１〜図４に示すように、塗布具本体１と、この塗布具本体１に装填された液状糊供給用のカートリッジ２とにより構成されている。
【００２１】
塗布具本体１は、基台３と操作板４とを備え、これら基台３および操作板４は、互いに後端部３ａ、４ａを、水平軸５をもって上下方向に開閉回動自在に枢着されている。
【００２２】
基台３および操作板４の各後端部３ａ、４ａにおける対向する内側面には、水平軸５に取付けられた板ばね６における上下のばね片６ａ、６ｂが弾性的に当接しており、基台３および操作板４が開き状態を維持するように付勢されている。
【００２３】
基台３は、内側前端に、上面が平面視四角形状をなすように開口されるとともに、前方が開口された開放部７ａを有する塗布台７を備えており、この塗布台７の後方は、カートリッジ２の胴部２ａが、前後方向に向けて、着脱自在に装填される角筒状の装填部８としてある。この装填部８の上面には、塗布台７から後方に離間する位置に、左右方向に延びるストッパ片９が上下方向に向くように切起し形成されている。このストッパ片９は、図３に想像線で示すように、塗布台７上に載置される被塗布体としての紙面Ｐの側端縁ｐが当接されて、紙面Ｐの後方への移動を阻止するための位置決めとして機能する。
【００２４】
カートリッジ２は、図４に示すように、前端上面に平面視四角形状の開口部１１を設けた前後方向に長手の扁平な角筒状の収容ケース１０と、この開口部１１に配置された海綿状の塗布体１２とにより形成されている。塗布体１２の上端面は、塗布面部１３として前記開口部１１から上向きに突出させて、この塗布台７の開放部７ａに臨ませてある。塗布体１２の後方における収容ケース１０内の収容空間、すなわち、カートリッジ２の胴部２ａに相当する部位には、液状糊１４が充填されており、この液状糊１４を塗布体１２の塗布面部１３に向けて浸透させて供給しうるようになっている。
【００２５】
操作板４は、基台３の塗布台７に相対する位置における内側前端に、塗布台７の平面視形状とほぼ同一形状をなす下向きの押え部１５を備えている。この押え部１５の下面には、塗布体１２の塗布面部１３に相対する位置に凹面部１６が形成されている。この凹面部１６は、図２に示すように、不使用時に、カートリッジ２における塗布面部１３の外周を上方から被冠しうるキャップを兼用しているとともに、それらの対向面間に糊付着防止用の間隙ａが形成されるようにしてある。
また、被冠状態において、押え部１５における凹面部１６の内周と、カートリッジ２における塗布面部２の外周とで囲繞される内部空間は、気密状態が維持させれるようになっている。
【００２６】
基台３の前端には、フックリング１７が設けられており、このフックリング１７の左右両端部１７ａ、１７ａを、基台３の左右両側面に設けられた係止孔３ｂ、３ｂに差し込んで係止させることにより、上下方向に回動自在にし、図２に示す不使用時に、操作板４の前端をフック掛けして、基台３および操作板４同士が閉じ状態を維持しうるようにしている。
【００２７】
図５に示すように、カートリッジ２の前端左右両側面には、基台３に設けたフックリング１７の両端部１７ａ、１７ａに相対する位置に、凹部１８、１８が形成されている。これらの凹部１８、１８には、カートリッジ２を、前方から後方に向けて基台３の装填部８に装填した際に、基台３の内側面に臨むフックリング１７の両端部１７ａ、１７ａが、それぞれ係合しうるようにして、基台３とカートリッジ２とを係着可能にしている。
【００２８】
なお、上記の実施形態では、カートリッジ２の前端上面の開口部１１を平面視四角形状のものを挙げて説明したが、その他、たとえば平面視円状など適宜の形状とすることができる。この場合、操作板４における押え部１５の形状も、前記開口部１１の形状に適合するものとすることが好ましい。  
【００２９】
次に、本発明の液状糊用塗布具における使用時の操作手順を説明する。図６は、第１使用状態を説明するための図である。
【００３０】
図６に示すように、塗布具本体１を開いて、基台３を、紙面Ｐの下方に挿入し、紙面Ｐの側端縁ｐをストッパ片９に当接して位置決めした後、基台３および操作板４の握持操作により、基台３および操作板４を閉じて、紙面Ｐを、塗布台７と押え部１５との間に挟持する。
このとき、被冠状態において、押え部１５の凹面部１６は、カートリッジ２の塗布面部２を上方から被冠し、しかも、押え部１５における凹面部１６の内周と、カートリッジ２における塗布面部２の外周とで囲繞される内部空間が、気密状態を維持しうるようになっていることから、使用時に、塗布台７と押え部１５との間に挟持される紙面Ｐの上面における空気を有効に圧縮することができるため、紙面Ｐを、基台３における塗布台７上に突出させた塗布面部１３に向けて上方から押えることができ、これにより、塗布面部１３に浸潤するカートリッジ２からの液状糊１４を、紙面Ｐの下面にスポット状に良好に塗布することができる。
また、塗布後、塗布具本体１を開きながら紙面Ｐの側端縁ｐに沿って移動し、所望の位置で、前記と同様な操作を繰り返し行うことにより、液状糊１４の紙面Ｐへの断続的な塗布を行うことができる。
【００３１】
図７は、第２使用状態を説明するための図である。図３および図７に示すように、塗布具本体１を開いて、基台３を、紙面Ｐの下方に挿入し、紙面Ｐの側端縁ｐをストッパ片９に当接して位置決めした後、基台３および操作板４の握持操作により、図３に矢印で示すように、基台３および操作板４を閉じて、紙面Ｐを、塗布台７と押え部１５との間に挟持する。この状態を維持しながら、塗布具本体１を、紙面Ｐの側端縁ｐに沿って移動することにより、基台３における塗布台７上に突出させた塗布面部１３に浸潤するカートリッジ２からの液状糊１４を、操作板４の押え部１５により、紙面Ｐの下面に帯状に塗布することができる。
これにより、液状糊１４の紙面Ｐへの連続的な塗布を行うことができる。
【００３２】
なお、上記の実施形態においては、１枚の紙面Ｐへの液状糊の塗布状態を説明したが、紙面Ｐが２枚重ねの場合には、上下の紙面間に、塗布具本体１の基台３を挿入して、前記と同様な操作を行えばよい。
また、ストッパ片９を前後方向に移動調整可能にすれば、紙面Ｐの側端縁ｐから前後方向における塗布位置を調整することができる。
【図面の簡単な説明】
【００３３】
【図１】本発明の一実施形態における液状糊用塗布具の不使用状態を示す斜視図である。
【図２】図１におけるＩＩ−ＩＩ線拡大縦断側面図である。
【図３】使用時において液状糊用塗布具を開いた状態を示す斜視図である。
【図４】カートリッジの拡大縦断面図である。
【図５】塗布具本体とカートリッジとの分解斜視図である。
【図６】第１使用状態を説明するための図である。
【図７】第２使用状態を説明するための図である。
【符号の説明】
【００３４】
１    塗布具本体
２    カートリッジ
２ａ  胴部
３    基台
３ａ  後端部
３ｂ  係止孔
４    操作板
４ａ  後端部
５    水平軸
６    板ばね
６ａ  ばね片
６ｂ  ばね片
７    塗布台
７ａ  開放部
８    装填部
９    ストッパ
１０  収容ケース
１１  開口部
１２  塗布体
１３  塗布面部
１４  液状糊
１５  押え部
１６  凹面部
１７  フックリング
１７ａ  端部
１８  凹部
ａ    糊付着防止用の間隙
Ｐ    紙面（被塗布体）
ｐ    側端縁
【図１】
2008137288.tif 000003
【図２】
2008137288.tif 000004
【図３】
2008137288.tif 000005
【図４】
2008137288.tif 000006
【図５】
2008137288.tif 000007
【図６】
2008137288.tif 000008
【図７】
2008137288.tif 000009